(57)【要約】【課題】調理台や洗面台のカウンターに飛び散った水滴等を拭き取るには布巾かペーパータオルを使用するが、水滴の量が多い時には布巾は絞り直し、ペーパータオルは何枚も使わないと吸収力が衰え、きれいに拭き取ることができない。また、市販の窓拭き用Ｔ字型ハンド・ワイパーは立てて置けないため調理台や洗面台の清掃には不向きである。本発明は、カウンターに自立可能なＴ字型ハンド・ワイパーを提供する。【解決手段】略Ｔ字型ハンド・ワイパーの、ワイパー本体の下部内側に樋を巡らせるとともに、柄部を樋と反対側に膨らむ形で弓状に反らせ、太い握り部分の下端に、当該握り部分の外径そのまま、もしくは当該外径よりも突出した部分を設け、その下面全体を平坦に形成し、支持部とする。あるいは、当該握り部分の末端付近に三脚等の脚部を設けて支持部とする。【選択図】図１
2016165433.tif 000002
【特許請求の範囲】
【請求項１】
ワイパー本体と柄部からなる略Ｔ字型ハンド・ワイパーの柄部の下方に握り部分を形成し、当該握り部分の下端に支持部を形成することにより、使用後は起立させた状態で保持できる、調理台や洗面台のカウンターに飛び散った水滴等を捕集しシンクに落とし込む用途のキッチン・洗面台ワイパー。
【請求項２】
本発明を前記起立させた状態において、ワイパー本体に付着した水滴がカウンター上に落下することを防止するため、ワイパー本体の下部内側に樋を巡らせたことを特徴とする請求項１記載のキッチン・洗面台ワイパー。
【請求項３】
略Ｔ字型ハンド・ワイパーを側面から見た状態において、柄部を樋と反対側に膨らむ形で弓状に反らせることを特徴とした、請求項１及び請求項２記載のキッチン・洗面台ワイパー。
【請求項４】
握り部分の下端に、当該握り部分の外径そのまま、もしくは当該外径よりもさらに周囲に突出した部分を設け、その下面全体を平坦に形成して支持部とすることを特徴とした、請求項１から請求項３記載のキッチン・洗面台ワイパー。
【請求項５】
握り部分の末端付近に三脚等の脚部を設けて支持部とした、請求項１から請求項３記載のキッチン・洗面台ワイパー。
【発明の詳細な説明】
【技術分野】
【０００１】  本発明は、調理台や洗面台のカウンターに飛び散った水滴等を捕集し、シンクに落とすことにより、台上をきれいにするとともに、使用後は台上に立てて置くことができるキッチン・洗面台ワイパーに関するものである。
【背景技術】
【０００２】  通常、調理台や洗面台のカウンターに飛び散った水滴や粉末、小さなゴミ等は、布巾やペーパータオル等で拭き取っている。
一方、市販されているＴ字型のハンド・ワイパーは、主に窓ガラスや自動車のウインドウ等の清掃に用いられている（特許文献１参照）。
また、起立した状態で卓上に保持できるものとして、杓子（しゃもじ）、チューブ容器、歯ブラシ等に関する発明がある（特許文献２、３、４参照）。
【先行技術文献】
【特許文献】
【０００３】
【特許文献１】特許公開２００５−３３４０１８
【特許文献２】登録実用新案第３０６０８１３号
【特許文献３】特許公開２００１−１２２２９５
【特許文献４】特許公開平６−２４５８１６
【発明の概要】
【発明が解決しようとする課題】
【０００４】  現状、調理台や洗面台のカウンターに飛び散った水滴を拭き取るには布巾かペーパータオルが使われる。しかし、水滴の量が多い時には、布巾は絞り直し、ペーパータオルは何枚も使わないと吸収力が衰え、きれいに拭き取ることができなくなる。また、ペーパータオルは使い捨てであり、経済的にもエコの観点からも使用は最小限にとどめたい。
そこで、ワイパーを用いて水滴等を捕集し、シンクに落とすことが望ましいが、市販の窓拭き用Ｔ字型ハンド・ワイパーは立てて置けないため相当なスペースを占有してしまうばかりか、調理台や洗面台で使用するには大き過ぎて小回りが利かない。そのため、市販の窓拭き用Ｔ字型ハンド・ワイパーは、そのままではキッチンや洗面台での使用には不向きである。
本発明は以上の問題点を解決するものである。
【課題を解決するための手段】
【０００５】  略Ｔ字型ハンド・ワイパーの、ワイパー本体の下部内側に樋を巡らせるとともに、柄部をワイパー本体の先端部分から外側に弓状に反らせる。また、柄部の太い握り部分の下端に、当該握り部分の外径そのまま、もしくは当該外径よりもさらに外側に突出した部分を設け、その下面全体を平坦に形成し、当該ワイパーを自立させるための支持部を形成する。あるいは、当該握り部分の末端付近に三脚等の脚部を設けて支持部とする。
以上の構成よりなるキッチン・洗面台ワイパー。
【発明の効果】
【０００６】  従来調理台や洗面台に飛び散った水滴等を捕集する専用の道具は存在しない。本発明は、略Ｔ字型ハンド・ワイパーの柄部をワイパー本体の先端部分から外側に弓状に反らせ、柄部の握り部分の下端に支持部を設けることで、キッチン・洗面台の水滴捕集後はカウンターの端等にスペースをあまり取らずに立てて置くことができるようにした。さらに、ワイパー本体の下部内側に樋を巡らせることにより、本発明を使用後に起立させてもワイパー本体に付着した水滴を受け留め、カウンター上に落下しないように工夫した。
なお、本発明は、市販の窓拭き用Ｔ字型ハンド・ワイパーよりも一回り小さく成形した方がよい。なぜならば、調理台や洗面台に食材・調理具や洗顔料・化粧品等が散乱していても小回りが利き、台上の水滴等を効率よく捕集できるからである。また、ワイパー本体、すなわちＴ字の横棒に相当する部分の長さが短ければ、本発明を起立させた状態での安定性が高まり、転倒のリスクが少なくなる。
【図面の簡単な説明】
【０００７】
【図１】本発明の全体図
【図２】ワイパー本体内側の図（樋を示したもの）
【図３】正中線での断面図
【図４】支持部を三脚にした場合の第二実施例図（部分）
【発明を実施するための形態】
【０００８】  以下、本発明の実施の形態を説明する。
本発明は、ワイパー本体（１）と柄部（２）からなるＴ字型ハンド・ワイパーの、ワイパー本体（１）の下部内側に樋（５）を巡らせ、柄部（２）の握り部分（６）の下端に支持部（３）を設けた構造である。
【０００９】  ワイパー本体（１）の長さは、市販の窓拭き用Ｔ字型ハンド・ワイパーが通常２０〜２５ｃｍであるのに対し、調理台や洗面台での操作性や起立時の安定性を勘案し、一回り小さく１５ｃｍ前後（±５ｃｍ）に成形するのがよい。
【００１０】  ワイパー本体（１）の形状は、略長方形状の薄い板状で、先端部分（４）には、数ｍｍ幅の帯板状で先端が鋭角になっているワイパー用弾性材が接着されている。本発明を使用後に立てて置いた時に、ワイパー本体（１）に付着した水滴がカウンター上に落下する恐れがあるため、水滴を受け留める目的で、ワイパー本体（１）の下部内側に樋（５）を巡らせる（図２参照）。なお、滴下する水量はわずかであるため、樋（５）は最小限の大きさでよい。
【００１１】  柄部（２）は、ワイパー本体（１）の先端部分（４）と反対側の辺の中央から直角に連なり、ワイパー本体（１）と柄部（２）で略Ｔ字の形状となっている。すなわち、ワイパー本体（１）がＴ字の横棒、柄部（２）がＴ字の縦棒に相当する。
柄部（２）の長さは、外観上のワイパー本体（１）とのバランスを勘案し、１５ｃｍ前後（±５ｃｍ）とするのがよい。また、柄部（２）の下方、すなわちワイパー本体（１）から遠い側には、握りやすい太さ、形状に成形した握り部分（６）を設ける。柄部（２）の握り部分（６）の太さは、柄部（２）の上方の太さよりも太くするため、自立時には重心が低くなり、安定性が高まる。
また、本発明を側面から見た状態において、柄部（２）をワイパー本体（１）の樋（５）側と反対側に膨らむ形で弓状に適度に反らせることにより、柄部（２）の握り部分（６）を持ち、先端部分（４）をキッチンや洗面台の台上に当てた時に鋭角を形成し、本発明を手前に引くことにより台上の水滴をきれいに捕集できる。さらに、柄部（２）を弓状に反らせることで起立時の重心が後方に移り、本発明が先端部分（４）から内側に倒れることを防止する。
【００１２】  柄部（２）の握り部分（６）の下端には、本発明を使用後に起立させた状態で保持するための支持部（３）を設ける。支持部（３）は、柄部（２）の握り部分（６）の下端に、当該握り部分（６）の外径そのまま、もしくは当該外径よりもさらに突出しており、その下面全体を平坦に形成した構造をしている。支持部（３）の基底面は円、楕円、三角形、方形等、形状は問わない。支持部（３）の基底面の面積が広いほど自立安定性は高まるが、広過ぎるとスペースを取るため必要最小限を志向する。なお、支持部（３）の基底面にワイパー本体（１）や柄部（２）の素材よりも比重の重い素材（金属板等）を貼れば、低重心を実現し、起立時の安定性を増すことができる。
【００１３】  また、支持部（３）は、前述の構造に代わる第二実施例として、柄部（２）の握り部分（６）の末端付近に三脚（７）等の脚部を設けてもよい（図４参照）。
本発明は以上のような構造である。
【００１４】  本発明を使用する時は、柄部（２）の握り部分（６）を片手で握り、ワイパー本体（１）の先端部分（４）を調理台や洗面台のカウンターに軽く押しつけたまま手前に引くことにより、台上に飛び散った水滴等を捕集し、シンクに落とし込む。本発明を使用した後は、支持部（３）の基底面を下にして、あるいは支持部（３）の三脚（７）で、カウンターの邪魔にならない場所に立てて置く。
【符号の説明】
【００１５】  １  ワイパー本体、  ２  柄部、  ３  支持部、  ４  先端部分、
５  樋、  ６  握り部分、  ７  三脚
【図１】
2016165433.tif 000003
【図２】
2016165433.tif 000004
【図３】
2016165433.tif 000005
【図４】
2016165433.tif 000006